(57)【特許請求の範囲】
【請求項１】
ハンドル操作によって、並設された第１，第２，第３の各位置にそれぞれ切り替えられるスイッチ装置であって、
一方の端部でスイッチ本体枠に固定され、他方の端部が操作部となり、中間箇所にハンドル用の阻止具が設けられた、操作部に押圧力が加えられてハンドルから離れる方向に変形可能な誤操作防止レバーと；
ハンドルに設けられ、このハンドルの第１位置から第２位置までの切替え操作では阻止具と当接せず、第２位置から第３位置に達する前に阻止具と当接してハンドルを阻止させる当接具と；
を備えることを特徴とするスイッチ装置。
【請求項２】
請求項１に記載の装置において、阻止具が当接具と当接してハンドルを阻止させる位置は、第２位置であることを特徴とするスイッチ装置。
【請求項３】
請求項１または２に記載の装置において、ハンドルは、それ自体を第１，第２の各位置でそれぞれスイッチ本体枠に対して施錠可能なロック用具を備えることを特徴とするスイッチ装置。
【請求項４】
請求項３に記載の装置において、ハンドルは、内部が中空な殻構造をなし、ロック用具は、ハンドルを貫通して直進可能であるとともに、ハンドル内部に設けられた押圧バネを介して直進経路上の２位置でそれぞれ仮止めされ、第１，第２の各位置に対応してスイッチ本体枠にあけられた穴に先端部が嵌入可能なピンであることを特徴とするスイッチ装置。
【請求項５】
請求項１ないし４のいずれかの項に記載の装置において、電柱設置形の配電自動化用子局制御装置に属するとともに、第１，第２，第３の各位置は、それぞれ「切」，「自動」，「入」の各位置に対応することを特徴とするスイッチ装置。
【発明の詳細な説明】
【０００１】
【発明の属する技術分野】
この発明は、ハンドル操作によって、並設された第１，第２，第３の各位置にそれぞれ切り替えられるスイッチ装置であって、とくに電柱設置形の配電自動化用の子局制御装置（以下、子局という）に属するとともに、第１位置に対応する「切」位置から第２位置に対応する「自動」位置に切り替えるとき、誤って第３位置に対応する「入」位置に達することのないように、誤操作防止レバーを設けてハンドルを「自動」位置でいったん機械的に阻止させ、しかも必要に応じ誤操作防止レバーを介して阻止を解除して「入」位置への切替えを可能にした誤操作防止機能付きのスイッチ装置に関する。ここで、「入」位置は、停電などの緊急時に、子局側のオペレータによって切り替えられる緊急操作位置で、この「入」位置に切り替えるに当たっては、オペレータの安全を保証するため、事前に所定の配電系統に係る状況確認をすることが必要になる。
【０００２】
【従来の技術】
配電系統の電力供給の信頼性向上や系統運用の効率化のために、各地区の電柱に設置されるスイッチ装置（開閉器）を中央から遠隔制御するシステム、いわゆる配電自動化システムが構築されている。この配電自動化システムは、中央営業所の親局制御装置（以下、親局という）と各地区の電柱に設置される子局からなる。この子局は、中核部がマイクロプロセッサを搭載した電子回路で、他にスイッチ装置や制御用トランス、電源スイッチ、通信端子箱などを含み、▲１▼スイッチ装置を含む子局自身の状態や系統の状態などを監視してこれを親局に通知する、▲２▼親局の指令に基づき子局自身を遠隔監視・制御する、▲３▼停電などの事故発生時に故障区間を検出する、等の各種機能をもつ。
【０００３】
子局のスイッチ装置をオン・オフするのは、現地作業の安全保証のため、スイッチ装置のハンドル操作を最優先とし、以下、親局による遠隔制御、子局の故障区間検出に基づく自身のリレー動作の順にしてある。ここで、スイッチ装置は、ハンドル操作によって「切」，「自動」，「入」の３位置に切り替えられるようにしてあり、「切」から「自動」に切り替えることで自動配電状態にする。この「切」から「自動」に切り替えるとき、誤って「入」位置に達すると、そのとき配電系統に所定の条件整備がなされてない場合には、オペレータに危険が及ぶ恐れがある。したがって、この切替えのときには、事前に所定の条件整備がなされていることを確認するか、または誤って「入」位置に切り替わらないように一種の安全装置を付けることが必要になる。後者の対策として従来、子局のスイッチ装置に誤操作防止機構を設けて、ハンドルを「自動」位置でいったん機械的に阻止させる方法がとられている。しかも、この誤操作防止機構は、必要に応じてハンドルの「自動」位置での阻止を解除して「入」位置への切替えを可能にしなければならない。元来、この「入」位置は、停電などの緊急時に、たとえば停電区間を最小限にする目的で、子局側のオペレータによって切り替えられる緊急操作位置である。もちろん、緊急操作位置として、緊急時の状況によっては、オペレータによって「切」位置に戻されることもある。いずれにしても、「入」位置に切り替えるときには、事前に配電系統の状況確認をする必要があり、これを無視して状況未確認のまま無造作に切り替えると、オペレータに危険が及ぶ恐れがある。したがって、誤操作防止機構には、ハンドルを「切」から「自動」に切り替えるとき、誤って「入」に入ることを防止する意味と、また「入」に切り替えるとき、予め状況確認をせよとの注意喚起をする意味がある。
【０００４】
従来例（子局に属するスイッチ装置）について、図７と図８を参照しながら説明する。図７は従来例の分解斜視図、図８はその要部に関し、（ａ）  は側断面図、（ｂ）  は正面図（下方から見た図）である。
図７において、従来のスイッチ装置を含む子局は、ここでは図示してないが、円筒状保護カバー１０の密閉底１０ａ  の上側内部に格納され、スイッチ装置の軸（スイッチ切替え用）１１が下方に突出する。この軸１１に、切替え用のハンドル１４を固定するが、その固定方法については詳しく後述する。軸１１には、下端面にネジ穴１１ａ  が、外周面に長穴１１ｂ  が貫通してあけられる。ハンドル１４は、右側の角棒状レバー部分と左側の扇形部分からなり、その境界箇所の上側に円筒状ボス１４ｃ  があり、これには符号を付けてない中心穴が貫通し、この穴に軸１１が遊合する。ボス１４ｃ  の周壁にネジ穴をあけ、中心穴を横断的に貫通する形で小ネジ１７をねじ込むことができる。また、ハンドル１４の扇形部分には、中心穴の回りに円弧状ガイド穴１４ａ  を貫通してあけ、これに連接させて円弧状のガイド溝１４ｂ  を扇形部分上面側に彫り込む。一方、密閉底１０ａ  の下面に台１２を固着し、これに丸棒状ストッパ１３を立設する。
【０００５】
軸１１とハンドル１４の組立について、図７とともに図８（ａ）  を補助的に参照しながら説明する。ハンドル１４を、そのボス１４ｃ  の中心穴を介して軸１１に遊合可能に嵌め込み、ボス１４ｃ  に小ネジ１７をねじ込んで、その先端部がボス１４ｃ  の中心穴と軸１１の長穴１１ｂ  とを共通に貫通するようにする。それから、軸１１のネジ穴１１ａ  に圧縮バネ１５を挿入し、その上端面で小ネジ１７の先端部外周を押圧させるように、小ネジ１６を軸１１のネジ穴１１ａ  にねじ込む。そのとき同時に、ハンドル１４の扇形部分のガイド穴１４ａ  にストッパ１３を貫通させる。このようにして軸１１にハンドル１４を装着した状態は、図８（ａ）  の実線表示のようになる。この状態で、ハンドル１４は、軸１１に対して実線表示の位置から一点鎖線表示の位置まで、圧縮バネ１５の力に抗して引き下げることができ、ストッパ１３がないものとすると、小ネジ１７を介して軸１１に回転を伝達することができる。
【０００６】
従来例の動作について、図８（ａ），（ｂ）  を参照しながら説明する。図８（ａ）  の実線表示は切替え位置が「切」か「自動」のときを、一点鎖線表示は「入」のときを、図８（ｂ）  は「自動」のときを示す。ハンドル１４を「切」から、図８（ｂ）  のように、図で反時計方向に回転させて「自動」にしたとき、ガイド穴１４ａ  の端（  図の上端）  に接するハンドル１４の内面にストッパ１３が当接して、それ以上ハンドル１４を「入」の方に回転するのが機械的に阻止される。つまり、ハンドル１４に対する誤操作防止機能が働いたことになる。さて、次にハンドル１４を「入」に切り替えるには、図８（ａ）  の一点鎖線表示のように下方に引いて、相対的にストッパ１３をガイド穴１４ａ  から部分的に抜き、ガイド溝１４ｂ  に沿って案内可能な位置にした後に、図８（ｂ）  で反時計方向に回転させる。なお、ここでは「自動」から「入」に切り替えるとき、「入」位置でハンドル１４から手を離すと自動的に「自動」位置に復帰する、いわゆる手動操作自動復帰形になっている。
【０００７】
【発明が解決しようとする課題】
従来例には、次のような欠点がある。一つには、誤操作防止が有効に働かない恐れがあることである。つまり、オペレータはハンドル１４を下から見上げる姿勢で掴むから、ハンドル１４を下方に引きやすくなって、「自動」位置で阻止されないで「入」位置に切り替わる危険がある。二つには、構成部品の加工が面倒でコスト増をまねくことである。つまり、ハンドル１４に関しては、その形状が複雑、ガイド穴１４ａ  やガイド溝１４ｂ  の加工が面倒であり、軸１１に関しては、長穴１１ａ  の加工が面倒である。三つには、部品点数が多く、しかも組立が面倒でコスト増をまねくことである。
【０００８】
この発明が解決しようとする課題は、従来の技術がもつ以上の問題点を解消して、誤操作防止が確実であるとともに、部品加工や組立作業が簡単でコスト低減が図れるスイッチ装置を提供することにある。
【０００９】
【課題を解決するための手段】
この発明は、ハンドル操作によって、並設された第１，第２，第３の各位置にそれぞれ切り替えられるスイッチ装置であって、
一方の端部でスイッチ本体枠に固定され、他方の端部が操作部となり、中間箇所にハンドル用の阻止具が設けられた、操作部に押圧力が加えられてハンドルから離れる方向に変形可能な誤操作防止レバーと；ハンドルに設けられ、このハンドルの第１位置から第２位置までの切替え操作では阻止具と当接せず、第２位置から第３位置に達する前に阻止具と当接してハンドルを阻止させる当接具と；を備える、という構成である。
【００１０】
ここで、阻止具が当接具と当接してハンドルを阻止させる位置が、第２位置であったり、またハンドルが、それ自体を第１，第２の各位置でそれぞれスイッチ本体枠に対して施錠可能なロック用具を備えたり、または内部が中空な殻構造をなし、ロック用具が、ハンドルを貫通して直進可能であるとともに、ハンドル内部に設けられた押圧バネを介して直進経路上の２位置でそれぞれ仮止めされ、第１，第２の各位置に対応してスイッチ本体枠にあけられた穴に先端部が嵌入可能なピンである、という構成にするのが好ましい。
【００１１】
また、この発明は、電柱設置形の配電自動化用子局制御装置に属すると共に、切替えの第１，第２，第３の各位置は、それぞれ「切」，「自動」，「入」の各位置に対応する、という構成にするのが好ましい。
したがって、この発明では、ハンドルは、第１位置から第２位置までは、ハンドル側の当接具と誤操作防止レバー側の阻止具が当接しないから自由に操作されるが、第２位置から第３位置に達する前に、たとえば第２位置で当接具と阻止具が当接して、その位置で機械的に阻止される。しかも、必要に応じて操作部に押圧力を加えて、誤操作防止レバーをハンドルから離れる方向に変形させることによって阻止具を変位させる。この変位によって、阻止具と当接具の当接を外して阻止を解除させ、ハンドルを第３位置に切り替えることができる。
【００１２】
また、この発明では、ハンドルは、たとえばピンの形式をとるロック用具を介して、切替えの第１，第２の各位置でそれぞれスイッチ本体枠に対して施錠することができる。
【００１３】
【発明の実施の形態】
この発明の実施の形態として、スイッチ装置の実施例を以下に図を参照しながら説明する。図１は第１実施例の斜視図で、下方から見上げたときを示す。図１において、１はスイッチ本体、１ａはスイッチ切替え用の直結された軸、１ｂはスイッチ本体１の前面に取り付けられる固定金具、２はベース枠で固定金具に取り付けられる。３は角棒状のハンドルで、一方の端部で軸１ａに固定され、中間位置にロックピン５を備える。このロックピン５については後述する。９は正面パネルで、ベース枠２にカシメられる。この正面パネル９には、スイッチ本体１（したがって、ハンドル３）の三つの切替え位置に対応して「切」，「自動」，「入」の表示マークが付けられている。４は誤操作防止レバーで、ほぼＬ字に折り曲げられたバネ板状部材で、一方の端部が折り返されて、押圧力が加えられるべき操作部４ａとなり、他方の端部でベース枠２にネジ固定されるとともに、中間箇所にハンドル３の陰になって見えない阻止具４ａ（後述の図２参照）が設けられる。また、ロックピン５の先端部が嵌入されるべき穴２ａが、これと組をなす破線表示の穴２ｂとともに、ベース枠２にあけられる。この各穴２ａ，２ｂはそれぞれ「切」，「自動」の各位置に対応する。
【００１４】
図１で十分に説明できなかった構成について、図２〜図４を参照しながら補足的に説明する。図２は第１実施例の側断面図、図３は同じくその正面図（下方から見た図）、図４は図２におけるＡ−Ａ断面図である。
図２において、誤操作防止レバー４の折り曲げられたた水平部分に、小ネジの形をとる阻止具４ａが設けられ、その先端部がハンドル３の上側にある、ここでは図示してない当接面（図４の符号３ａ参照）と当接可能に位置する。図４において、ハンドル３と阻止具４ａの三つの相対位置関係Ｕ，Ｖ，Ｗが示される。つまり、阻止具４ａがハンドル３に対してＵの位置関係をとるときは、「切」位置から「自動」位置に近接したときであり、Ｖの位置関係をとるときは、ハンドル３が「自動」に向かって（図４で左方向に）操作され、阻止具４ａの先端部がハンドル３の当接面３ａと当接して阻止される直前（「自動」位置の直前）の状態にある。ここで、ハンドル３は当接面３ａから左側部分が切欠きになって、阻止具４ａの先端部が通過することができる。次に、図２において、誤操作防止レバー４が操作部４ａで押圧されて湾曲変形し（破線参照）、阻止具４ａの先端部が図４で上方に移動して当接面３ａから外れ、ハンドル３が「入」に向かって（図４で左方向に）操作される。少し操作された状態が、図４に示したＷの位置関係である。なお、図４でハンドル３の当接面３ａから右側部分を斜面３ｂにしてある理由は、ハンドル３が「入」に切り替わった後に「自動」に自動復帰するときに、阻止具４ａの先端部が斜面３ｂに沿って滑って頂点まで上がり、頂点で当接面３ａに沿って落ちるようにして、自動復帰の邪魔をしないためである。
【００１５】
図２戻って、ロックピン５に関する構造について述べる。ハンドル３を上下方向に貫通して直進可能にロックピン５を設け、その外周面に２個のＶ溝を彫り込む。ハンドル３の内部にＬ字形バネ板６を設け、このバネ板６の垂直部分にＶ形折り曲げ部をつくる。このＶ形折り曲げ部は各Ｖ溝に押圧力を加えながら嵌まって、その各Ｖ溝の位置でロックピン５を仮止めすることができる。ロックピン５が、図２のように下側のＶ溝位置でバネ板６によって仮止めされたときには、先端部がベース枠２の穴２ｂに嵌入して、ハンドル３は「自動」位置で施錠される（図３参照）。また、ロックピン５が、図の上側のＶ溝位置でバネ板６によって仮止めされたときには、先端部がベース枠２の穴２ｂから抜かれて、ハンドル３は解錠（アンロック）される。同様にして、ハンドル３は「切」位置でも施錠・解錠される（図３参照）。元来、スイッチ本体１は「切」，「自動」，「入」の各位置で保持する機能をもつが、加えてロックピン５を設けることで、各位置での保持がより確実になる。
【００１６】
次に第２実施例について、図５の側断面図を参照しながら説明する。第２実施例が第１実施例と異なる点は、誤操作防止レバーの構造にある。すなわち、誤操作防止レバーの変形構造が、第１実施例ではバネ板形式であったのに対し、第２実施例ではヒンジ形式にする。第１実施例における誤操作防止レバー４に対応するものが、誤操作防止レバー７と支え部８である。支え部８をベース枠２に固定し、誤操作防止レバー７と支え部８とをピン８ａを介して連結する。誤操作防止レバー７に、第１実施例と同じように阻止具７ａ（小ネジ）を設け、当接・阻止動作を確実にするため重り７ｃを付設する。この第２実施例の動作は第１実施例と同じであるから、ここでの説明は省略する。
【００１７】
終わりに、図６の第１，第２の各実施例の電柱設置時の斜視図を参照しながら説明する。図６において、電柱２１の適当箇所にこれと直交させて、正方形で中空な断面をもつ設置梁２０を設け、この下面側に保護カバー１０に格納された、第１，第２の各実施例をそれぞれ含む子局が設置される。保護カバー１０の密閉底１０ａから下方に突出する各実施例の切替え用の軸１ａにハンドル３が固定される。保護カバー１０の下端部の外周の一部が切り欠かれ、この切欠きの範囲でハンドル３が切り替え操作される。
【００１８】
【発明の効果】
この発明によれば、次のような優れた効果が期待できる。
（１）  この発明が電柱設置形の配電自動化用子局制御装置に適用された場合、第１位置に対応する「切」位置から、第２位置に対応する「自動」位置に切り替えるとき、誤って第３位置に対応する「入」位置に達することのないように、誤操作防止レバーを介してハンドルを「入」位置の前、たとえば「自動」位置で機械的に阻止させ、「入」位置に誤って入ったことによる子局側オペレータの安全面に係る障害発生の恐れを未然に防止できる。また、停電などの緊急時に、オペレータが配電系統に係る十分な状況確認をした後、誤操作防止レバーをハンドルから離れる方向に変形させることによって阻止具を変位させ、「自動」位置にあるハンドルを阻止解除して「入」位置に切り替えることによって、停電区間を最小限にする等の緊急処置を講じることができる。しかも、誤操作防止は、ハンドルとは別な誤操作防止レバーの押圧操作によるから、従来例と異なってハンドルが誤って操作される恐れがなく確実である。
（２）  ハンドルは内部が中空な殻構造であるから、軽量化でき操作性の向上を支援するとともに、ピンの形式をとるロック用具を介して、第１，第２の各位置でそれぞれスイッチ本体枠に対して施錠することができるから、各位置での確実な保持が保証されてスイッチ装置の信頼性向上を図ることができる。さらに、仮止め用押圧バネがハンドル内部に設けられるから、構造的にコンパクトになる。
（３）  従来例と比べて構成部品の点数が少なく、かつ部品加工と組立作業が容易であるから、コスト低減が図られる。
【図面の簡単な説明】
【図１】この発明に係る第１実施例の斜視図
【図２】第１実施例の側断面図
【図３】第１実施例の正面図
【図４】図２におけるＡ−Ａ断面図
【図５】この発明に係る第２実施例の側断面図
【図６】第１，第２の各実施例の電柱設置時の斜視図
【図７】従来例の分解斜視図
【図８】従来例の要部に関し、（ａ）  は側断面図、（ｂ）  は正面図
【符号の説明】
１    スイッチ本体
１ａ  軸（スイッチ切替え用）
１ｂ  固定金具
２    ベース枠
２ａ，２ｂ  穴
３    ハンドル
３ａ  当接面
３ｂ  斜面
４    誤操作防止レバー
４ａ  阻止具（小ネジ）
４ｂ  操作部
５    ロックピン
６    板バネ
７    誤操作防止レバー
７ａ  阻止具（小ネジ）
７ｂ  操作部
７ｃ  重り
８    支え部
８ａ  ピン
９    正面パネル
１０    カバー
１０ａ  密閉底
２０    設置梁
２１    電柱
【図１】
0003567565.tif 000002
【図２】
0003567565.tif 000003
【図３】
0003567565.tif 000004
【図４】
0003567565.tif 000005
【図５】
0003567565.tif 000006
【図６】
0003567565.tif 000007
【図７】
0003567565.tif 000008
【図８】
0003567565.tif 000009